【手続補正書】
【提出日】平成17年2月21日(2005.2.21)
【手続補正１】
【補正対象書類名】明細書
【補正対象項目名】全文
【補正方法】変更
【補正の内容】
【書類名】      明細書
【発明の名称】  パチンコ機の球タンク
【特許請求の範囲】
【請求項１】  上面が開口する平面略長方形の箱形に形成され、底壁が球タンクの長手方向の一方に傾斜し、その傾斜下部に球落下口を形成したパチンコ機の球タンクにおいて、前記球落下口の球タンクの長手方向の開口縁に前記底壁を流下するパチンコ球を迂回させる球誘導壁を立設し、球タンクのパチンコ球を球落下口の球タンクの短手方向側から流出させるようにしたことを特徴とするパチンコ機の球タンク。
【請求項２】  上面が開口する平面略長方形の箱形に成形され、底壁に断面凹形状の球通路部を球タンクの長手方向に沿って傾斜状に設けると共に、その球通路部の上流側端部を球落下口とし、該球落下口より下流の球通路部を該球落下口に向かって下傾する底板で塞ぐと共に、球落下口の開口縁に位置する底板に該底板を流下するパチンコ球を迂回させる球誘導壁を一体に立設し、該球誘導壁によって常にパチンコ球を球落下口の球タンクの短手方向側から流出させるようにしたことを特徴とするパチンコ機の球タンク。
【発明の詳細な説明】
【０００１】
【発明の属する技術分野】
本発明は、パチンコ機の上方の補給経路から補給されるパチンコ球を貯留してパチンコ球払出装置に導くための球タンクに関するものである。
【０００２】
【従来の技術】
従来の球タンクは、機構板の上部に設けられ、該球タンクの底壁に開設した球落下口に連通してタンクレールが設けられており、該球タンク内のパチンコ球をタンクレールを介してパチンコ球払出装置へ導くようになっている。
【０００３】
ところで、従来の球タンクは、上面が開口する平面略長方形の箱形に形成され、底壁が一方に傾斜し、その傾斜下部に球落下口を形成していた。
【０００４】
【発明が解決しようとする課題】
しかしながら、この従来の球タンクにあっては、球タンクに供給されたパチンコ球が、底壁の傾斜により一気に球落下口に向かうため、球タンク内のパチンコ球の球圧が球落下口に集中することになって該球落下口部分で球噛み現象が発生し、該球タンク内のパチンコ球が球落下口から流出し得なくなるという問題点があった。
【０００５】
そこで本発明は、球タンク内のパチンコ球に掛かる球圧を効果的に緩和して、球タンク内のパチンコ球を球落下口からスムーズに流出させることができるようなパチンコ機の球タンクを提供することを目的としている。
【０００６】
【課題を解決するための手段】
上記目的を達成するために、本発明に係るパチンコ機の球タンクは、上面が開口する平面略長方形の箱形に形成され、底壁が球タンクの長手方向の一方に傾斜し、その傾斜下部に球落下口を形成したパチンコ機の球タンクにおいて、前記球落下口の球タンクの長手方向の開口縁に前記底壁を流下するパチンコ球を迂回させる球誘導壁を立設し、球タンクのパチンコ球を球落下口の球タンクの短手方向側から流出させるようにしたことを特徴としている。
【０００７】
また、上面が開口する平面略長方形の箱形に成形され、底壁に断面凹形状の球通路部を球タンクの長手方向に沿って傾斜状に設けると共に、その球通路部の上流側端部を球落下口とし、該球落下口より下流の球通路部を該球落下口に向かって下傾する底板で塞ぐと共に、球落下口の開口縁に位置する底板に該底板を流下するパチンコ球を迂回させる球誘導壁を一体に立設し、該球誘導壁によって常にパチンコ球を球落下口の球タンクの短手方向側から流出させるようにしたことを特徴としている。
【０００８】
このため、球タンクに貯留されるパチンコ球の球圧は球誘導壁によって直接球落下口に掛からないため、球タンクを流下するパチンコ球が球落下口付近でひしめき合って球噛みを起こすようなことがなくなりスムーズに流出させることが可能となる。また、パチンコ球払出装置へ導くための球通路部を球タンクと一体に形成してタンクレールを不要にすることが可能となる。
【０００９】
前記球タンクは、球落下口の一方向（前面壁方向）からパチンコ球が流出するように形成されており、これによって球タンクに貯留される球量が少なくなっても確実に球落下口に集められて流下し得るようになっている。
【００１０】
また、前記球誘導壁の内側面を段状に膨出して球受段部を形成することにより、球タンクを流下するパチンコ球の球圧をより一層を緩和することができる。さらに球受段部の大きさを変えることによって球タンクのパチンコ球貯留量を調節することができる。
【００１１】
また、前記球タンクの球落下口側の角部を曲面とし、パチンコ球が留まらないようにしてパチンコ球の流下をスムーズにするのが好ましい。
【００１２】
【発明の実施の形態】
以下に本発明を図面を参照して説明する。図１は本発明に係る球タンクが装着されたパチンコ機の裏面図である。図において、１はパチンコ機の前面枠、２は前面枠１の後面に着脱自在に取付けられる遊技盤であって、該遊技盤２の裏面には入賞球集合カバー３が配設されており、該入賞球集合カバー３の裏面に基板ボックス４が装着されている。この基板ボックス４は遊技盤２の表面に設けられる始動入賞口，可変表示装置，大入賞口等の動作を駆動制御するための回路基板が収納されている。
【００１３】
５は遊技盤２の裏面に開閉可能に装着される合成樹脂製の機構板である。この機構板５は遊技盤２の裏面に相対する板状部５ａを有し、この板状部５ａのほぼ中央に基板ボックス４を臨ませるための窓孔６が開設されている。窓孔６の上方であり、かつ板状部５ａの裏面には本発明に係る球タンク７が固着される。また、球タンク７の下方にはパチンコ球を整列して導き出すタンクレール８が設けられており、該タンクレール８の下流端は、カーブレール９を介してパチンコ球払出装置１０に接続されている。また、パチンコ球払出装置１０の下方には払い出された景品球としてのパチンコ球を前面枠１の前面の打球供給皿（図示せず）へ導くための排出樋１１が形成される。また、窓孔６の下方の板状部５ａには入賞球集合部１２に集められた入賞球を１個ずつ排出処理する入賞球排出処理装置１３が設けられている。
【００１４】
図２は本発明に係る球タンク７の斜視図、図３は球タンク７の平面図である。次に、本発明に係る球タンク７の具体的な構造を説明する。球タンク７は、上面が開口する平面略長方形の箱形に形成され、機構板５に接する後面壁１４と、該後面壁１４に対向する前面壁１５と、左側壁１６と右側壁１７および底壁１８とからなる。該底壁１８は、図５に示すように左側壁１６に向かって緩やかに下傾している。そして、後面壁１４の下流端側を膨出して膨出部１９が形成され、底壁１８の下流端部でかつ前後巾のほぼ中央にタンクレール８の上流端部分に対応する長方形状の球落下口２０が開設される。さらに、球落下口２０と前面壁１５との間に球タンク７の長手方向に沿う長方形の開口２１を設け、該開口２１に球切れ検出装置２２を装着している。
【００１５】
前記球切れ検出装置２２は、球タンク７の開口２１に下方から臨む検知板２３と、該検知板２３の後端を回動自在に軸支して球タンク７の底壁１８裏側に固着される取付部材２４と、前記検知板２３の回動によって作動するスイッチ２５とによって構成される。
【００１６】
しかして、球タンク７は、球落下口２０の長手方向側（右側壁側）の開口縁に、前記膨出部１９と一体に左側壁１６側に向かって傾斜する球誘導壁２６を立設し、球タンク７のパチンコ球を球落下口２０の球タンク７の短手方向側である前面壁１５側から流出させるようにしている。
【００１７】
上記のように構成される球タンク７は、機構板５に後面壁１４を当てがってビス止め等の適宜手段によって固着され、図示しないパチンコ機の上方の補給経路から補給されるパチンコ球が貯留される。そして、該球タンク７に貯留されるパチンコ球は、底壁１８の傾斜によって球落下口２０に向かって流下し、図３および図４に示すように球誘導壁２６により前面壁１５側に迂回しながら球落下口２０から流出する。この際、球誘導壁２６により球タンク７を流下するパチンコ球の球圧が緩和され直接的に球落下口２０に球圧が掛からず、その結果球落下口２０から流出するパチンコ球が球落下口２０付近でひしめき合って球噛み，球づまりを起こすこともなくなり、球タンク７のパチンコ球をスムーズかつ確実にタンクレール８，カーブレール９を介してパチンコ球払出装置１０に導くことができる。
【００１８】
また図６は、前記球誘導壁２６から球タンク７の長手方向に段状に膨出した球受段部２７を形成した実施の形態を示しており、該球受段部２７を形成することにより、球圧をより一層緩和することができて球の流れが良くなり球づまりが起こらなくなる。さらに、球タンク７の球落下口２０側の角部を曲面Ｒとすることにより、角部にパチンコ球が留まることがなくなりパチンコ球の流下がスムーズになる。
【００１９】
図７ないし図１１は、他の実施の形態の球タンク７Ａである。なお前記実施の形態と同じ構成要素には同一の符号を付して説明する。該球タンク７Ａは機構板５に接する後面壁１４と該後面壁１４に対向する前面壁１５と左側壁１６及び右側壁１７と底壁１８とによって上面が開口された平面略長方形に形成され、前面壁１５の下流端側の角部を曲面Ｒとして、角部にパチンコ球が留まらないようにしている。また、球タンク７Ａの底壁１８は、左側壁１６に向かって緩やかに下傾しており、その長さ方向のほぼ中央には断面凹形状の球通路部２８が全長に亘って形成され、該球通路部２８によって底壁１８を底壁１８ａ，１８ｂに分割している。また、球通路部２８は前記底壁１８の傾斜と反対に左側壁１６から右側壁１７に向かう下り傾斜状に形成されており、その流下端は開口されて球出口２９としている。
【００２０】
前記球通路部２８は上流端側から下流端側に向けて漸次深くなるように形成されている。また、球通路部２８の内底面にはほぼ中央部から下流端部にかけて仕切壁３０が設けられており、該仕切壁３０によってパチンコ球が２列に整列しながら球出口２９に向けて流下するように球通路２８ａ，２８ｂが形成されている。前記仕切壁３０は図１１に示すように下流端方向に向けて漸次高くなるように形成されており、その下流端の高さはパチンコ球の直径より若干低くなるように形成されている。なお、上記した実施の形態では球通路部２８の球通路を２列として説明したが１列または３列であってもよい。
【００２１】
一方、後面壁１４の下流端側には膨出部１９が形成されており、該膨出部１９より下流側の球通路部２８と底壁１８ａに底板３１が着脱自在に敷設され、球通路部２８の上流側を球落下口２０としている。また、球落下口２０と前面壁１５との間の底壁１８ｂに段差ｄを介して球タンク７Ａの長手方向に沿う長方形の開口２１を設け、該開口２１に球切れ検出装置２２を装着している。
【００２２】
前記底板３１は、図８に示すように球落下口２０の開口端に位置する底板３１の端部に左側壁１６に向かう傾斜状の球誘導壁３２を一体に立設し、該球誘導壁３２に段状に膨出した球受段部３３を形成している。そして底板３１の他端側には右側壁１７に沿うように側壁部３４が屈曲形成されており、該側壁部３４に断面Ｈ形状の取付部３５が形成されている。一方、球タンク７Ａの右側壁１７には頂縁から下方へ穿設する筋状の縦溝１７ａが設けられ、この縦溝１７ａに断面Ｈ形状の取付部３５を差し込んでビス３６，３６により底板３１を着脱自在に設置して、球誘導壁３２を球落下口２０の長手方向の開口縁に位置するようにしている。また底板３１を別体に設けるようにしたので、球受段部３３の大きさを変えることにより球タンク７Ａのパチンコ球の貯留量を自由に調節することができる。３７は、側壁部３４の屈曲部に設けられたガイド片であり、側壁部３４の補強を兼ねると共に、屈曲部にパチンコ球が留まらないようにしている。
【００２３】
上記のような球通路部２８を一体に備える球タンク７Ａは機構板５の板状部５ａに後面壁１４を当てがってビス止め等適宜な固定手段によって固着される。そして、図１１に示すように球通路部２８の球出口２９とカーブレール９とを接続させることによって球タンク７Ａに貯留されるパチンコ球をパチンコ球払出装置１０に流送し得るようになっている。
【００２４】
しかして、上記のように構成される球タンク７Ａのパチンコ球は、図９に示すように前記実施の形態と同様に、球受段部３３および球誘導壁３２によって直接球落下口２０に向かわず球タンク７Ａの短手方向側である前面壁１５側に迂回するようになっており、しかも段差ｄによって球崩し作用を付与されながらパチンコ球は流下し、球圧は緩和されて一気に球落下口２０には掛からず、その結果球タンク７Ａを流下するパチンコ球が球落下口２０付近でひしめき合って球噛みを起こすようなこともなくなり、球タンク７Ａのパチンコ球がスムーズに球通路部２８に送り込まれ、確実に球通路部２８で整列されてパチンコ球払出装置１０へ導くことができる。
【００２５】
また、断面凹形状の球通路部２８を球タンク７Ａの底壁１８の長手方向全長に亘って形成したものであるから、従来のパチンコ機のように球タンクの下方にパチンコ球を整列してパチンコ球払出装置１０へ導くためのタンクレールや球ならし等を設ける必要がなくなり、その分機構板５に対する設置面積を小さくすることができて基板ボックス４を臨ませるための窓孔６を大きく形成することができる。このためパチンコ機の遊技内容が高度化し、その遊技内容を制御する回路基板が大きくなり、それに伴ってその回路基板を収納する基盤ボックス４が大きくなっても充分に対応できる。また、球通路部２８の形成によって球タンク７Ａの容積が増大される。
【００２６】
【発明の効果】
以上、説明したところから明らかなように、本発明においては、球タンクの球落下口の長手方向の開口縁に球誘導壁を設けることによって、球タンクのパチンコ球の球圧が一気に球落下口に掛からないようにすることができ、該球落下口でパチンコ球がひしめき合って球噛みが起きるような事態を確実に解消してスムーズに流出させることができる。
【００２７】
また、球タンクと一体にパチンコ球を整列してパチンコ球払出装置へ導くための球通路部を形成することにより、従来のパチンコ機のようにタンクレールや球ならしを設ける必要がなくなって機構板に対する球タンクの設置面積を小さくすることができ、その結果基板ボックスを臨ませるための窓孔を大きく形成することができる。また、球タンクのパチンコ球の球圧を効果的に緩和して該球タンクのパチンコ球をパチンコ球払出装置へ確実かつスムーズに導くことができると共に、従来の球タンクに較べてパチンコ球の貯留容積を増大することができる。
【図面の簡単な説明】
【図１】
パチンコ機の裏面図である。
【図２】
本実施例に係る球タンクの斜視図である。
【図３】
図２の球タンクの平面図である。
【図４】
図２の球タンク部分の横断正面図である。
【図５】
図２の球タンク部分の縦断側面図である。
【図６】
球受段部を設けた他の実施の形態の球タンクの斜視図である。
【図７】
球通路部を一体に設けた他の実施の形態の球タンクの斜視図である。
【図８】
図７の球タンクの分解斜視図である。
【図９】
図７の球タンクの平面図である。
【図１０】
図７の球タンクの横断正面図である。
【図１１】
図７の球タンクの縦断側面図である。
【符号の説明】
７，７Ａ      球タンク
１４          後面壁
１５          前面壁
１８          底壁
２０          球落下口
２６          球誘導壁
２８          球通路部
３１          底板
３２          球誘導壁